(57)【要約】【課題】名入れ印刷の申込み業務の煩雑さを解消でき、多様な発注状況に対応しやすい名入れ印刷申込み装置及び名入れ印刷申込みシステムを提供する。【解決手段】名入れ印刷申込みシステムは、サーバ１００と、得意先２００と、関連会社３００と、印刷工場４００等とを備え、サーバ１００は、ＨＴＭＬ文書の情報を送信するウェブサーバ部１０と、ユーザ情報の認証を行うユーザ受付認証部２０と、各メニューを切替える表示メニュー項目切替部３０と、名入れ印刷の受注情報を受付ける受注情報受付部４０と、受注情報を記憶する受注情報記憶部５０と、受注情報を表示する受注情報表示部６０と、印刷情報を生成する印刷情報生成部７０と、受注情報表示部６０にその過去の受注情報を表示させ、受注情報表示部６０に現在の受注情報とともにその変更の履歴を表示させ、受注情報表示部６０に名入れ印刷の各工程の進捗状況を表示させる受注処理部８０とを備える。【選択図】図２
2005301655.tif 000002
【特許請求の範囲】
【請求項１】
名入れ印刷の受注情報を受付ける受注情報受付部と、
前記受注情報受付部が受付けた受注情報を記憶する受注情報記憶部と、
前記受注情報記憶部が記憶している受注情報を表示する受注情報表示部と、
前記受注情報記憶部が記憶している受注情報に基づいて、名入れ印刷に必要な印刷情報を生成する印刷情報生成部と、
前記受注情報受付部と前記受注情報記憶部と前記受注情報表示部と前記印刷情報生成部との間で、前記受注情報を送受する受注処理部とを備え、
前記受注処理部は、前記受注情報記憶部が過去の受注情報を記憶している場合には、前記受注情報表示部にその過去の受注情報を表示させること、
を特徴とする名入れ印刷申込み装置。
【請求項２】
名入れ印刷の受注情報を受付ける受注情報受付部と、
前記受注情報受付部が受付けた受注情報を記憶する受注情報記憶部と、
前記受注情報記憶部が記憶している受注情報を表示する受注情報表示部と、
前記受注情報記憶部が記憶している受注情報に基づいて、名入れ印刷に必要な印刷情報を生成する印刷情報生成部と、
前記受注情報受付部と前記受注情報記憶部と前記受注情報表示部と前記印刷情報生成部との間で、前記受注情報を送受する受注処理部とを備え、
前記受注処理部は、前記受注情報記憶部が記憶している受注情報に変更があった場合には、前記受注情報記憶部に変更の履歴を記憶させ、前記受注情報表示部に現在の受注情報とともにその変更の履歴を表示させること、
を特徴とする名入れ印刷申込み装置。
【請求項３】
名入れ印刷の受注情報を受付ける受注情報受付部と、
前記受注情報受付部が受付けた受注情報を記憶する受注情報記憶部と、
前記受注情報記憶部が記憶している受注情報を表示する受注情報表示部と、
前記受注情報記憶部が記憶している受注情報に基づいて、名入れ印刷に必要な印刷情報を生成する印刷情報生成部と、
前記受注情報受付部と前記受注情報記憶部と前記受注情報表示部と前記印刷情報生成部との間で、前記受注情報を送受する受注処理部とを備え、
前記受注処理部は、前記受注情報受付部に名入れ印刷の各工程の進捗状況を受付けさせ、前記受注情報記憶部にその進捗状況を記憶させ、前記受注情報表示部にその進捗状況を表示させること、
を特徴とする名入れ印刷申込み装置。
【請求項４】
発注側の端末と、
前記発注側の端末とネットワークを介して接続された受注側の請求項１から請求項３までのいずれか１項に記載の名入れ印刷申込み装置とを備え、
前記発注側の端末から前記名入れ印刷申込み装置にアクセスし、名入れ媒体に対する名入れ印刷の申込みを行うこと、
を特徴とする名入れ印刷申込みシステム。
【発明の詳細な説明】
【技術分野】
【０００１】
本発明は、カレンダー等に対する名入れ印刷の申込みを行うのに好適な名入れ印刷申込み装置及び名入れ印刷申込みシステムに関するものである。
【背景技術】
【０００２】
従来、カレンダーは、実用的な商品であり、幅広く利用されている。
また、カレンダーは、広告媒体や、販売促進用の商品として利用される場合もあり、その場合には、カレンダーの所定のスペースに、会社名や個人名を追加で印刷する名入れ印刷が行われていた。
しかし、この名入れ印刷は、案内書や、申込書等の書類によって申込みが行われていたため、業務の効率が悪いという問題があった。
【０００３】
この問題を解決するために、カレンダーを効率よく販売することのできるカレンダー販売システム（例えば、特許文献１）や、ネットワークを介してカレンダーを販売するカレンダー販売サーバ装置（例えば、特許文献２）等も開示されている。
【０００４】
しかし、いずれの特許文献の方式も、受注後は、その受注した情報に基づいて、そのまま納品するだけであり、業務の煩雑さを解消するには、不十分である可能性があった。
【０００５】
その理由は、カレンダーは、季節商品であり、１年のうちの限られた時期に注文が集中するため、発注側は、期限管理や、納期にシビアになっており、受注側には、受注後にも問い合わせの電話が殺到していたからである。
【０００６】
また、発注側が大企業の場合には、カレンダーを大量に発注するので、納品されたカレンダーを保管する必要が生じ、納期が非常に重要視されていた。
ところが、名入れ印刷が完了したカレンダーの納入日は、１１月の末等といった、大雑把な日程であったため、詳細な納入日を知るには、電話での問い合わせとならざるを得なかった。
【０００７】
正月用のカレンダーであっても、名入れ印刷の締め切りは、ゴールデンウィーク開けあたりになる場合があり、とりあえず所定の部数を発注したものの、その後に事情が変わり、「どれくらい進んでいますか。」「変更は、まだ可能ですか。」といった問い合わせも多く、これも業務を煩雑にさせる要因となっていた。
【特許文献１】特開２００３−３６３６３号公報
【特許文献２】特開２００３−１５０８５９号公報
【発明の開示】
【発明が解決しようとする課題】
【０００８】
本発明の課題は、名入れ印刷の申込み業務の煩雑さを解消でき、多様な発注状況に対応しやすい名入れ印刷申込み装置及び名入れ印刷申込みシステムを提供することである。
【課題を解決するための手段】
【０００９】
本発明は、以下のような解決手段により、前記課題を解決する。なお、理解を容易にするために、本発明の実施例に対応する符号を付して説明するが、これに限定されるものではない。
請求項１の発明は、名入れ印刷の受注情報を受付ける受注情報受付部（４０）と、前記受注情報受付部（４０）が受付けた受注情報を記憶する受注情報記憶部（５０）と、前記受注情報記憶部（５０）が記憶している受注情報を表示する受注情報表示部（６０）と、前記受注情報記憶部（５０）が記憶している受注情報に基づいて、名入れ印刷に必要な印刷情報を生成する印刷情報生成部（７０）と、前記受注情報受付部（４０）と前記受注情報記憶部（５０）と前記受注情報表示部（６０）と前記印刷情報生成部（７０）との間で、前記受注情報を送受する受注処理部（８０）とを備え、前記受注処理部（８０）は、前記受注情報記憶部（５０）が過去の受注情報を記憶している場合には、前記受注情報表示部（６０）にその過去の受注情報を表示させること、を特徴とする名入れ印刷申込み装置である。
【００１０】
請求項２の発明は、名入れ印刷の受注情報を受付ける受注情報受付部（４０）と、前記受注情報受付部（４０）が受付けた受注情報を記憶する受注情報記憶部（５０）と、前記受注情報記憶部（５０）が記憶している受注情報を表示する受注情報表示部（６０）と、前記受注情報記憶部（５０）が記憶している受注情報に基づいて、名入れ印刷に必要な印刷情報を生成する印刷情報生成部（７０）と、前記受注情報受付部（４０）と前記受注情報記憶部（５０）と前記受注情報表示部（６０）と前記印刷情報生成部（７０）との間で、前記受注情報を送受する受注処理部（８０）とを備え、前記受注処理部（８０）は、前記受注情報記憶部（５０）が記憶している受注情報に変更があった場合には、前記受注情報記憶部（５０）に変更の履歴を記憶させ、前記受注情報表示部（６０）に現在の受注情報とともにその変更の履歴を表示させること、を特徴とする名入れ印刷申込み装置である。
【００１１】
請求項３の発明は、名入れ印刷の受注情報を受付ける受注情報受付部（４０）と、前記受注情報受付部（４０）が受付けた受注情報を記憶する受注情報記憶部（５０）と、前記受注情報記憶部（５０）が記憶している受注情報を表示する受注情報表示部（６０）と、前記受注情報記憶部（５０）が記憶している受注情報に基づいて、名入れ印刷に必要な印刷情報を生成する印刷情報生成部（７０）と、前記受注情報受付部（４０）と前記受注情報記憶部（５０）と前記受注情報表示部（６０）と前記印刷情報生成部（７０）との間で、前記受注情報を送受する受注処理部（８０）とを備え、前記受注処理部（８０）は、前記受注情報受付部（４０）に名入れ印刷の各工程の進捗状況を受付けさせ、前記受注情報記憶部（５０）にその進捗状況を記憶させ、前記受注情報表示部（６０）にその進捗状況を表示させること、を特徴とする名入れ印刷申込み装置である。
【００１２】
請求項４の発明は、発注側の端末と、前記発注側の端末とネットワークを介して接続された受注側の請求項１から請求項３までのいずれか１項に記載の名入れ印刷申込み装置（１００）とを備え、前記発注側の端末から前記名入れ印刷申込み装置（１００）にアクセスし、名入れ媒体に対する名入れ印刷の申込みを行うこと、を特徴とする名入れ印刷申込みシステムである。
【発明の効果】
【００１３】
本発明によれば、以下のような効果がある。
（１）受注情報記憶部が過去の受注情報を記憶している場合には、受注情報表示部にその過去の受注情報を表示させる名入れ印刷申込み装置としたので、過去の受注情報を流用することにより業務の手間が省ける。
【００１４】
（２）受注情報記憶部が記憶している受注情報に変更があった場合には、受注情報表示部に現在の受注情報とともにその変更の履歴を表示させる名入れ印刷申込み装置としたので、現在と過去の受注情報が同時に一覧でき、業務の負担が軽減される。
【００１５】
（３）受注情報受付部に名入れ印刷の各工程の進捗状況を受付けさせ、受注情報表示部にその進捗状況を表示させる名入れ印刷申込み装置としたので、印刷の各工程を発注側でも把握でき、変更や確認等のその後の業務が行いやすい。
【００１６】
（４）発注側の端末から受注側の名入れ印刷申込み装置にアクセスし、名入れ媒体に対する名入れ印刷の申込みを行う名入れ印刷申込みシステムとしたので、システム全体で、業務の負担を大幅に軽減させることができる。
【発明を実施するための最良の形態】
【００１７】
本発明は、名入れ印刷の申込み業務の煩雑さを解消でき、多様な発注状況に対応しやすい名入れ印刷申込み装置及び名入れ印刷申込みシステムを提供するという目的を、過去の受注情報を流用し、現在の受注情報とともに受注情報の変更の履歴を同一画面上に表示させ、名入れ印刷の各工程の進捗状況を表示させることにより実現する。
【実施例】
【００１８】
以下、図面等を参照して、本発明の実施例について、さらに詳しく説明する。
図１は、本発明による名入れ印刷申込みシステムの実施例を示すブロック図である。
本実施例の名入れ印刷申込みシステム１は、サーバ（名入れ印刷申込み装置）１００と、得意先２００と、関連会社３００と、印刷工場４００等とを備え、発注側の関連会社３００の端末から受注側のサーバ１００にアクセスし、名入れ媒体としてのカレンダーに対する名入れ印刷の申込みを行うＡＳＰ（Ａｐｐｌｉｃａｔｉｏｎ  Ｓｅｒｖｉｃｅ  Ｐｒｏｖｉｄｅｒ）システムである。
【００１９】
サーバ１００は、名入れ印刷の申込みを受付けるサーバであり（詳細は後述）、ネットワークを介して、得意先２００、関連会社３００及び印刷工場４００と接続されている。
このネットワークは、例えば、インターネットであり、本実施例では、プライバシーに関わる情報を安全に送受するために、暗号化機能を付加したプロトコルとしてのｈｔｔｐｓ（Ｈｙｐｅｒｔｅｘｔ  Ｔｒａｎｓｆｅｒ  Ｐｒｏｔｏｃｏｌ  Ｓｅｃｕｒｉｔｙ）を使用している。
【００２０】
得意先２００は、名入れ印刷の基となるカレンダーを発行する企業であり、パーソナルコンピュータ等の端末を備える。
【００２１】
関連会社３００は、得意先２００が発行するカレンダーを使用する会社であり、例えば、得意先２００の支店や、取引会社、それらの下層の個人の事業主（代理店）等であり、得意先２００と同様にパーソナルコンピュータ等の端末を備える。
【００２２】
印刷工場４００は、サーバ１００からの指示で、実際に、名入れ印刷を行う工場であり、印刷装置を備える。
【００２３】
次に、本実施例のサーバ１００についてさらに詳しく説明する。
図２は、本実施例のサーバを示すブロック図である。
サーバ１００は、ウェブサーバ部１０と、ユーザ受付認証部２０と、表示メニュー項目切替部３０と、受注情報受付部４０と、受注情報記憶部５０と、受注情報表示部６０と、印刷情報生成部７０と、受注処理部８０とを備える。
【００２４】
ウェブサーバ部１０は、ＨＴＭＬ文書や画像等の情報を保存しておき、得意先２００や、関連会社３００からのアクセスの要求に応じて、これらの情報を表示する部分である。
【００２５】
ユーザ受付認証部２０は、ユーザ情報の認証を行う部分であり、得意先２００や、関連会社３００のユーザ情報を記憶するユーザ情報記憶部２１を備える。
【００２６】
表示メニュー項目切替部３０は、各メニューや項目を切替える部分であり、得意先２００や、関連会社３００のアクセスに応じて各メニューや項目を変更する表示メニュー項目設計部３１を備え、カレンダー画像の表示指示があった場合には、カレンダー商品品種情報記憶部３２が、カレンダー画像を表示する。
【００２７】
受注情報受付部４０は、名入れ印刷の受注情報を受付ける部分であり、名入れ受付部４１と、請求先受付部４２と、配送先受付部４３と、申込部数受付部４４と、進捗状況受付部４５とを備える。
【００２８】
名入れ受付部４１は、会社名、個人名、住所、電話番号、ＦＡＸ番号、ホームページのＵＲＬ、メールアドレス等の実際に名入れ印刷を行う情報を受付ける部分である。
請求先受付部４２は、名入れ印刷で発生する費用を請求する請求先の情報を受付ける部分である。
【００２９】
配送先受付部４３は、名入れ印刷が完了したカレンダーの配送先の情報を受付ける部分である。
申込部数受付部４４は、名入れ印刷を行うカレンダーの部数を受付ける部分である。
進捗状況受付部４５は、印刷工場４００から、名入れ印刷の各工程の進捗状況を受付ける部分である。
【００３０】
受注情報記憶部５０は、受注情報受付部４０が受付けた受注情報を記憶する部分であり、上述した受注情報受付部４０の各受付部に対応して、名入れ記憶部５１と、請求先記憶部５２と、配送先記憶部５３と、申込部数記憶部５４と、進捗状況記憶部５５とを備え、さらに、受注情報の変更の履歴を記憶する変更履歴記憶部５６と、過去の受注情報を記憶している実績記憶部５７とを備える。
【００３１】
受注情報表示部６０は、受注情報記憶部５０が記憶している受注情報をウェブサーバ部１０に表示させる部分であり、上述した受注情報記憶部５０の各記憶部に対応して、名入れ表示部６１と、請求先表示部６２と、配送先表示部６３と、申込部数表示部６４と、進捗状況表示部６５と、変更履歴表示部６６と、実績表示部６７とを備える。
【００３２】
印刷情報生成部７０は、受注情報記憶部５０が記憶している受注情報に基づいて、名入れ印刷に必要な印刷情報を生成する部分であり、名入れ制作処理部７１と、面付け処理部７２と、データ加工処理部７３とを備える。
【００３３】
名入れ制作処理部７１は、名入れ記憶部５１が記憶している情報を印刷データに変換し、そのデータを印刷工場４００の印刷装置４０１に送信する部分である。
面付け処理部７２は、受注情報記憶部５０が記憶している受注情報に基づいて、印刷時の面付けの最適化を行い、それを印刷工場４００の印刷装置４０１に通知する部分である。
【００３４】
データ加工処理部７３は、印刷工場４００の事務処理に必要なデータ（請求データ、配送データ、部数データ）を印刷工場４００に送信する部分であり、請求先記憶部５２が記憶している情報を請求データに変換する請求書処理部７４と、配送先記憶部５３が記憶している情報を配送データに変換する配送一覧処理部７５と、申込部数記憶部５４が記憶している情報を部数データに変換する部数一覧処理部７６とを備える。
【００３５】
受注処理部８０は、受注情報受付部４０と受注情報記憶部５０との間に配置され、上述した各部との間で、受注情報を送受する部分であり、本システムの制御を行う。
【００３６】
また、受注処理部８０は、受注情報記憶部５０の実績記憶部５７が過去（前回、前年）の受注情報を記憶している場合には、受注情報表示部６０の実績表示部６７にその過去の受注情報を表示させる。
【００３７】
さらに、受注処理部８０は、受注情報記憶部５０が記憶している受注情報に変更があった場合には、受注情報記憶部５０の変更履歴記憶部５６に変更の履歴を記憶させ、受注情報表示部６０の変更履歴表示部６６に現在の受注情報とともにその変更の履歴を表示させる。
【００３８】
さらにまた、受注処理部８０は、受注情報受付部４０の進捗状況受付部４５に、印刷工場４００からの名入れ印刷の各工程の進捗状況を受付けさせ、受注情報記憶部５０の進捗状況記憶部５５にその進捗状況を記憶させ、受注情報表示部６０の進捗状況表示部６５にその進捗状況を表示させる。
【００３９】
次に、図１を参照しながら、図３〜図７の各画面図を用いて、本実施例の名入れ印刷の申込み方法について説明する。
図３は、ログイン画面を示す図であり、図４は、メインメニューを示す図であり、図５は、カレンダーの画像を示す図であり、図６は、変更履歴を示す図であり、図７は、進捗状況を示す図である。
【００４０】
（＃１）得意先２００は、関連会社３００の情報をサーバ１００に送信する。このとき、有償口数（有料で提供する部数）や、無償口数（無料で提供する部数）等の設定も同時に行う。なお、関連会社３００の情報が、あらかじめサーバ１００に記憶されている場合には、その中から関連会社３００を選択する。
【００４１】
（＃２）サーバ１００は、得意先２００から受付けた関連会社３００用のＩＤを発行する。
（＃３）サーバ１００は、関連会社３００に、発行したＩＤを通知し、案内を行う。
【００４２】
（＃４）関連会社３００は、サーバ１００にアクセスする。
ここで、図３に示すうな、ログイン画面が現れる。関連会社３００は、通知を受けたＩＤとパスワードでログインすると、図４に示すような、メインメニューが現れる。
【００４３】
（＃５）関連会社３００は、システムマニュアルを参照しながら、各種メニューを選択する。
ここで、『今年度カレンダーのご案内』ａを選択すると、図５に示すような、今年度のカレンダーの画像が表示される。この画像は、印刷工場４００の印刷装置４０１に保存されているものと同じデータであり、ＷＥＢ上のデータに変換され、表示される。
図４のメインメニューに戻り、『前回実績一覧』ｂを選択すると、前回の申込みの受注情報が、前回の名入れ印刷に使用した店名データ（名入れ印刷用に加工した店名版下のイメージデータ）とともに表示される。この表示は、ＰＤＦデータ（ＡｄｏｂｅＡｃｒｏｂａｔＲｅａｄｅｒ：アドビ  システムズ  株式会社製）で行われる。
【００４４】
（＃６）関連会社３００は、カレンダーの選択、申込みを行う。
図４のメインメニューに戻り、『お申込み』ｃを選択すると、申込み画面が現れる。
申込みは、新規、流用、代理の３種類の方法がある。
新規申込みの場合は、各項目を全て入力する。流用申込みの場合は、ＩＤや会社名等で検索することにより、前回の申込みの受注情報が表示され、変更箇所のみを入力する。代理申込みの場合は、権限が与えられた関連会社３００が、ネットワーク環境が整っていない、他の関連会社３００に代わって、各項目を入力する。
【００４５】
（＃７）関連会社３００が名入れ印刷の実行を指示すると、サーバ１００は、印刷工場４００に印刷情報を送信し、印刷工場４００は、サーバ１００に店名データを送信する。
【００４６】
（＃８）関連会社３００は、申込み内容に間違いがないか確認する。
（＃９）関連会社３００は、申込み内容を変更したい場合には、申込み内容の変更を行う。
例えば、社員Ａが申込み部数を１０と入力し、社員Ｂが申込み部数を２０と変更し、最後に、部長が申込み部数を３０と変更したとする。
そして、図４のメインメニューにおいて、『変更一覧』ｄを選択すると、図６に示すような、変更履歴一覧が表示される。
一番上のレコードＬ１は、現在の受注情報であり、ピンクのラインで色付けされ、中央のレコードＬ２と一番下のレコードＬ３とは、過去の受注情報であり、同一画面上に、全ての変更の履歴が表示される。
【００４７】
（＃１０）印刷工場４００は、サーバ１００に、進捗状況を送信する。
本実施例では、各工程の終了日に、印刷工場４００の作業員がサーバ１００にアクセスし、所定のチェックボタン押すと、日付が入力されるようになっている。
【００４８】
（＃１１）得意先２００と関連会社３００とは、サーバ１００にアクセスし、進捗状況を確認する。
例えば、６月１日に、関連会社３００からの申込みを受付け、１０月１日に、店名決定（店名の版下が校了）、１１月１日が、発送予定日であるとする。
そして、図４のメインメニューにおいて、『進捗状況確認』ｅを選択すると、図７に示すような、進捗状況一覧が表示される。
【００４９】
（＃１２）得意先２００は、関連会社３００の申込み状況を確認する。
（＃１３）印刷工場４００は、名入れ印刷を完了させ、関連会社３００にカレンダーと請求書とを発送する。なお、配送先の情報によっては、カレンダーと請求書とは、得意先２００に発送される場合もある。
【００５０】
このように、本実施例によれば、以下のような効果がある。
（１）過去の受注情報を記憶している場合には、その受注情報を表示させるようにしたので、過去の受注情報を流用することによって、入力作業は最低限で済み、業務の手間が省ける。
（２）受注情報記憶部５０が記憶している受注情報に変更があった場合には、現在の受注情報とともにその変更の履歴を同一画面上に表示させるようにしたので、現在と過去の受注情報が一覧でき、いつどのように変更されたのかが一目でわかり、業務の負担が軽減される。
【００５１】
（３）印刷工場４００の名入れ印刷の各工程の進捗状況を表示させるようにしたので、申込日、店名決定日、発送予定日等の進捗状況をリアルタイムで確認でき、また、常時、申込み状況の閲覧が可能となるので、これまでの煩雑な問い合わせ業務から開放され、問い合わせ対応業務の負荷を軽減できる。
（４）得意先２００や、関連会社３００の情報、受注情報、印刷情報を一元管理しているので、版下情報の精度が安定し、提供するカレンダーの品質も向上し、また、他印刷物を制作する場合にも、それらの情報を転用できる。
【００５２】
（５）全国の得意先２００や、関連会社３００からインターネットを介して、直接申込みができるので、リストへの転記やそれによる人為的なミスが軽減され、申込み管理業務の負荷を軽減できる。
（６）有償口数、無償口数、申込み部数等の部数調整についても、修正が可能であり、また、そのデータを請求書作成等に活用でき、部数集計業務の効率化が図れる。
（７）申込みから、納品までに関わる管理業務の合理化やペーパーレス化が図れ、管理コスト削減につながる。
【００５３】
（変形例）
以上説明した実施例に限定されることなく、種々の変形や変更が可能であって、それらも本発明の均等の範囲内である。
（１）名入れ媒体は、カレンダーの例で説明したが、名入れ印刷を行う手帳や、店名入りチラシ、表面全国版，裏面地方版等のチラシ、販売促進用の商品、ラップカートン等の追い刷り印刷を行う印刷媒体でもよく、また、関連会社３００の地図等を印刷してもよい。
（２）進捗状況は、印刷工場４００の作業員が日付を入力する例で説明したが、カレンダーをバーコードや、２次元バーコードで管理し、それをリーダーに読み込ませ、そのときの日付がサーバ１００に入力されるようにしてもよい。
（３）前回の申込みの受注情報を表示した段階で、ＰＤＦデータをプリンタで出力し、赤ペン等で修正指示を入れた後に、ＦＡＸでの送信や、原稿の手渡しを行ってもよい。
【図面の簡単な説明】
【００５４】
【図１】本発明による名入れ印刷申込みシステムの実施例を示すブロック図である。
【図２】本実施例のサーバを示すブロック図である。
【図３】ログイン画面を示す図である。
【図４】メインメニューを示す図である。
【図５】カレンダーの画像を示す図である。
【図６】変更履歴を示す図である。
【図７】進捗状況を示す図である。
【符号の説明】
【００５５】
１  名入れ印刷申込みシステム
１０  ウェブサーバ部
２０  ユーザ受付認証部
２１  ユーザ情報記憶部
３０  表示メニュー項目切替部
３１  表示メニュー項目設計部
３２  カレンダー商品品種情報記憶部
４０  受注情報受付部
４１  名入れ受付部
４２  請求先受付部
４３  配送先受付部
４４  申込部数受付部
４５  進捗状況受付部
５０  受注情報記憶部
５１  名入れ記憶部
５２  請求先記憶部
５３  配送先記憶部
５４  申込部数記憶部
５５  進捗状況記憶部
５６  変更履歴記憶部
５７  実績記憶部
６０  受注情報表示部
６１  名入れ表示部
６２  請求先表示部
６３  配送先表示部
６４  申込部数表示部
６５  進捗状況表示部
６６  変更履歴表示部
６７  実績表示部
７０  印刷情報生成部
７１  名入れ制作処理部
７２  面付け処理部
７３  データ加工処理部
７４  請求書処理部
７５  配送一覧処理部
７６  部数一覧処理部
８０  受注処理部
１００  サーバ
２００  得意先
３００  関連会社
４００  印刷工場
４０１  印刷装置
【図１】
2005301655.tif 000003
【図２】
2005301655.tif 000004
【図３】
2005301655.tif 000005
【図４】
2005301655.tif 000006
【図５】
2005301655.tif 000007
【図６】
2005301655.tif 000008
【図７】
2005301655.tif 000009